(57)【特許請求の範囲】
【請求項１】
複層ガラス（Ｇ）の縁部を内合させて支持自在な嵌合支持部（６）と、サッシュ（Ｓ）のガラス嵌合用アリ溝（５）に嵌入自在な嵌入部（７）とを、アタッチメント本体（８）に設け、前記嵌入部（７）の両側部に、アリ溝縁部（５ａ）に対して係止自在な可撓性の係止部材（９）を各別に設けてある複層ガラス取付用アタッチメントであって、
前記係止部材（９）を構成するに、係止部材本体（１０）における前記アリ溝（５）への嵌入方向前端部に、前記嵌入部（７）との接着部（１１）を設け、前記係止部材本体（１０）における前記アリ溝（５）への前記嵌入方向後端部に、前記アリ溝縁部（５ａ）への係止部（１２）を設け、前記係止部（１２）は、前記嵌入方向に沿って前記接着部（１１）に対して遠近移動自在な状態に構成され、前記係止部材本体（１０）における前記接着部（１１）と前記係止部（１２）との間の中間部に、前記アリ溝（５）から前記嵌入部（７）が抜け出る方向に移動するに伴って前記アリ溝縁部（５ａ）の裏側で前記嵌入部（７）の側方側に膨出する状態に撓み変形する変形部（１３）を設けてある複層ガラス取付用アタッチメント。
【発明の詳細な説明】
【０００１】
【産業上の利用分野】
本発明は、複層ガラスの縁部を内合させて支持自在な嵌合支持部と、サッシュのガラス嵌合用アリ溝に嵌入自在な嵌入部とを、アタッチメント本体に設け、前記嵌入部の両側部に、アリ溝縁部に対して係止自在な可撓性の係止部材を各別に設けてある複層ガラス取付用アタッチメントに関する。
【０００２】
【従来の技術】
従来、この種の複層ガラス取付用アタッチメントとしては、図５に示すように、前記係止部材２０を構成するに、前記嵌入部２１の側部に沿って配置された係止部材本体２２を設け、前記係止部材本体２２における前記アリ溝５への嵌入方向後端部に、前記アリ溝縁部５ａへの係止部２３を形成し、前記係止部材本体２２における前記係止部２３より前記嵌入方向前端側に、前記アリ溝５の側方側に膨出形状の膨出部２４を形成し、前記係止部２３及び膨出部２４が前記嵌入部２１に固着される状態に、前記係止部材本体２２を嵌入部２１に一体的に接着してあるものがあり、サッシュＳのアリ溝５へ該アタッチメントを取り付けるには、アリ溝５内へ嵌入部２１を進入させることによって、前記膨出部２４がアリ溝縁部５ａに当接して弾性変形し、アリ溝縁部５ａが膨出部２４を乗り越えるまでさらに押し込むことによって、前記係止部２３をアリ溝縁部５ａに係止する状態に取り付けることができるものである。
【０００３】
【発明が解決しようとする課題】
上述のような手順によってアタッチメントをサッシュに取り付けるわけであるが、取付作業においては、できるだけ小さな力でスムースに作業できることが好ましく、更には、取り付けた後には、例えば、サッシュの開閉操作によってアタッチメントがずれたり抜けたりし難いことが好ましい。
【０００４】
上述した従来の複層ガラス取付用アタッチメントによれば、膨出部の大きさ（アリ溝側方側への膨出度合い）や堅さによって、取り付け易さや、抜け難さが決まるわけであるが、小さな力でスムースに取り付けれるようするために、前記膨出部を小さくしたり柔らかい材質で構成すると、ずれたり抜け易くなり、一方、ずれたり抜けたりし難くするために、前記膨出部を大きくしたり堅くしてたりすると、取付時の抵抗が大きくなって取り付け難くなるという問題点があり、これらの要求を、共に叶えることが困難である。
【０００５】
従って、本発明の目的は、上記問題点を解消し、サッシュに取り付けやすく、且つ、取り付けた後は、外れ難い複層ガラス取付用アタッチメントを提供するところにある。
【０００６】
【課題を解決するための手段】
この目的を達成するための請求項１に係わる本発明の特徴構成は、サッシュのガラス嵌合用アリ溝に嵌入自在な嵌入部の両側部に、各別に設けられ、且つ、アリ溝縁部に対して係止自在な可撓性の係止部材を構成するに、係止部材本体における前記アリ溝への嵌入方向前端部に、前記嵌入部との接着部を設け、前記係止部材本体における前記アリ溝への前記嵌入方向後端部に、前記アリ溝縁部への係止部を設け、前記係止部は、前記嵌入方向に沿って前記接着部に対して遠近移動自在な状態に構成され、前記係止部材本体における前記接着部と前記係止部との間の中間部に、前記アリ溝から前記嵌入部が抜け出る方向に移動するに伴って前記アリ溝縁部の裏側で前記嵌入部の側方側に膨出する状態に撓み変形する変形部を設けてあるところにある。
【０００７】
【作用】
請求項１に係わる本発明の特徴構成によれば、サッシュのガラス嵌合用アリ溝に嵌入自在な嵌入部の両側部に、各別に設けられ、且つ、アリ溝縁部に対して係止自在な可撓性の係止部材を構成するに、係止部材本体における前記アリ溝への嵌入方向前端部に、前記嵌入部との接着部を設け、前記係止部材本体における前記アリ溝への前記嵌入方向後端部に、前記アリ溝縁部への係止部を設け、前記係止部は、前記嵌入方向に沿って前記接着部に対して遠近移動自在な状態に構成されているから、係止部材本体は、前記嵌入方向前端部の接着部において嵌入部に固定されているものの、その部分より前記嵌入方向後端側の部分においては、前記嵌入部に対して嵌入方向に沿って遠近自在に移動することが可能となり、アリ溝部に嵌入部を嵌め入れる際に、アリ溝縁部に接当しながら容易に変位でき、抵抗少なくスムースに嵌め入れることが可能となる。
また、前記係止部材本体における前記接着部と前記係止部との間の中間部に、前記アリ溝から前記嵌入部が抜け出る方向に移動するに伴って前記アリ溝縁部の裏側で前記嵌入部の側方側に膨出する状態に撓み変形する変形部を設けてあるから、アリ溝部に嵌入部を嵌め入れて係止させた後に、抜け出し方向の力が作用した場合には、前記変形部が、前記アリ溝の側方側に撓み変形して、抜け出しを阻止することが可能となり、アリ溝部から外れ難くすることができる。
【０００８】
【発明の効果】
従って、本発明の複層ガラス取付用アタッチメントによれば、単純な構造でありながらサッシュへのスムースな取付操作と、取り付けた後には外れ難くするという相反する要求を、共に叶えることが可能となり、複層ガラス取付用アタッチメントの機能性向上を図ることができるようになる。
【０００９】
【実施例】
以下に本発明の実施例を図面に基づいて説明する。尚、図面において従来例と同一の符号で表示した部分は、同一又は相当の部分を示している。
【００１０】
図１・２は、本発明に係わる複層ガラス取付用アタッチメントの一例（以後、単にアタッチメントという）Ｈを用いて複層ガラスＧを、一般ガラス取付用のサッシュＳに取り付けてある状況を示すものである。
【００１１】
複層ガラスＧは、スペーサ１を介して複数の板ガラス２を厚み方向に並設して構成してある。前記スペーサ１は、各板ガラス２どうしの対向面の縁部分に沿う状態に、一次シールを介して取り付けてある。また、両板ガラス２の外周縁部の間には、二次シールを施してある。因みに、前記一次シールは、特に水分を透過し難くするためにブチルゴム製のものを使用してあり、前記二次シールは、接着力の高いシリコン系またはポリサルファイド系のものを使用してある。
また、前記スペーサ１は、長尺筒状に形成してあると共に、その内空部には粒状の乾燥剤を充填してあって、板ガラス２間の密閉空間に通じる連通孔を通して、前記密閉空間内の気体を乾燥させ、結露防止を図れるように構成してある。
【００１２】
前記サッシュＳは、前記複層ガラスＧの縁部を、前記アタッチメントＨを介して取り付けれるように、断面形状『Ｈ』字形状の金属製枠部材４を矩形形状に組み付けて構成してあり、内周部には、前記アタッチメントＨを嵌入自在なアリ溝５を形成してある。尚、アリ溝５の開口幅寸法は、一般ガラス取付用に設定されたものであって、前記複層ガラスＧの厚み寸法より小さな設定になっている。従って、前記アタッチメントＨを複層ガラスＧとの間に介在させることによって、厚み寸法の大きな複層ガラスＧでも、該サッシュＳに取り付けることが可能となる。
【００１３】
前記アタッチメントＨを説明すると、図３に示すように、複層ガラスＧの縁部を内合させて支持自在な嵌合支持部６と、サッシュＳのガラス嵌合用アリ溝５に嵌入自在な嵌入部７とを備えてなる長尺のアタッチメント本体８によって構成してある。具体的には、開口幅の大なる断面形状『Ｕ』字形状の嵌合支持部６の底部分に、開口幅の小なる断面形状『Ｕ』字形状の嵌入部７を形成した形状にアタッチメント本体８は構成してある。
前記嵌合支持部６は、前記複層ガラスＧの厚み寸法に対応させて開口寸法を設定してある。そして、溝内周部には、複層ガラスＧとサッシュＳとの緩衝作用のある塩化ビニル製の保持部６ａを一体的に設けてある。
前記嵌入部７は、前記アリ溝の開口幅寸法に対応させて外幅寸法を設定してある。そして、嵌入部７の両側部には、アリ溝縁部５ａに対して係止自在な塩化ビニル製で可撓性の長尺体からなる係止部材９を各別に設けてある。
前記係止部材９は、前記嵌入部７に沿うように長尺に形成してあり、断面形状略『Ｖ』字形状（筆記体の『Ｖ』字形状に類似）の係止部材本体１０によって構成してある。そして、『Ｖ』字の各二辺にあたる第一本体部１０ａと第二本体部１０ｂどうしは、下頂部を中心にして互いに近接離間自在に揺動できるように構成してある。そして、前記第一本体部１０ａは、嵌入部７の側面部に対して、前記下頂部が前記アリ溝５への嵌入方向前方側に位置する姿勢に接着してある。前記第一本体部１０ａの嵌入部７側の面部全域が接着部１１にあたる。
また、前記第二本体部１０ｂには、前記嵌入方向後端側の部位に、前記アリ溝縁部５ａへの係止部１２を設けてあると共に、前記下頂部と前記係止部１２との間に、前記アリ溝５から前記嵌入部７が抜け出る方向に移動するに伴って前記アリ溝５の側方側に撓み変形する変形部１３を設けてある。
具体的には、前記変形部１３は、アリ溝５の側方側に膨出形状に構成してあり、アリ溝５内に嵌入部７を嵌入させた状態においては、前記変形部１３が、アリ溝縁部５の裏面側に回り込んだ姿勢になり（図１（ロ）参照）、嵌入部７がアリ溝５から抜け出る方向に移動しようとしても、前記変形部１３がアリ溝縁部５に引っかかって更に裏側に回り込む状態に変形し、抜け出しを阻止することができる（図２（ロ）参照）。尚、前記変形部１３の膨出頂部から前記係止部１２側にかけた表面に、小さな突起Ｔを複数設けてあり、この突起Ｔが、前記変形部１３の前記アリ溝縁部５に対する抜け出し時の引っかかりを、より確実なものとしている。
また、前記係止部１２は、前記変形部１３の後部から外方に屈曲させて構成してあり、アタッチメントＨをアリ溝５に進入させると、この係止部１２がアリ溝縁部５に当接し、位置規制して係止する。
【００１４】
次に、サッシュＳに対するアタッチメントＨの取付手順を説明すと、図２（イ）に示すように、前記嵌入部７が、前記サッシュＳのアリ溝５の開口部に位置するようにアタッチメントＨを配置し、そのまま、アリ溝５内へ押し込む。
すると、前記第二本体部１０ｂは、アリ溝縁部５ａに接当しながら、嵌入部７に近接する方向に弾性変形し、押し込み操作の障害にならない状態で、スムースにアリ溝５内に納まる。そして、前記係止部１２がアリ溝縁部５ａに当接するまで押し込まれた状態においては、弾性復元力によって前記変形部１３がアリ溝縁部５ａの裏面側に回り込む。この状態で、取付が完了する。
また、取り付けた後に、アタッチメントＨに抜け出し力が作用すると、図２（ロ）に示すように、前記変形部１３がアリ溝縁部５ａの裏側に回り込む状態に変形して、容易には抜け出さないように作用する。
【００１５】
〔別実施例〕
以下に別実施例を説明する。
【００１６】
〈１〉  前記係止部材は、先の実施例で説明したように断面形状『Ｖ』字形状のものに限るものではなく、例えば、図４に示すように、第一本体部１０ａを省いて、第二本体部１０ｂの基端部に前記接着部１１を設けてあるものであってもよく、係止部材９の材料使用量を低減化することが可能となる。
〈２〉  前記係止部材は、塩化ビニル製に限るものではなく、他の合成樹脂や、ゴムで構成してあったり、または、それらの組み合わせによるものであってもよい。例えば、前記変形部にあたる部分を、撓み性の大きなゴムによって構成し、一方、前記接着部１１や係止部１２を強度の高い合成樹脂によって構成してあれば、嵌入部への取付強度を上げながら、より外れ難いアタッチメントとすることが可能となる。
【００１７】
尚、特許請求の範囲の項に、図面との対照を便利にするために符号を記すが、該記入により本発明は添付図面の構成に限定されるものではない。
【図面の簡単な説明】
【図１】実施例のアタッチメントを示す横断面図
【図２】実施例のアタッチメントを示す横断面図
【図３】実施例のアタッチメントを示す斜視図
【図４】別実施例のアタッチメントを示す横断面図
【図５】従来例のアタッチメントを示す横断面図
【符号の説明】
５    アリ溝
５ａ  アリ溝縁部
６    嵌合支持部
７    嵌入部
８    アタッチメント本体
９    係止部材
１０  係止部材本体
１１  接着部
１２  係止部
１３  変形部
Ｇ    複層ガラス
Ｓ    サッシュ
【図１】
0003641647.tif 000002
【図２】
0003641647.tif 000003
【図３】
0003641647.tif 000004
【図４】
0003641647.tif 000005
【図５】
0003641647.tif 000006